(57)【要約】【課題】バスレフポートの断面形状の設計自由度を確保するとともに、バスレフポートを構成する壁体の共振を抑制する。【解決手段】共振が最も発生しやすいのは、角部又は屈曲部を両端に持つ複数の壁体部分のうち、最も剛性が低い壁体部分、つまり断面において最も長い壁体部分である。そこで、少なくとも、その壁体部分を曲線形状にして剛性を高くする。このようにすれば、壁体が湾曲しているため剛性が高く、風切音やスピーカ音に共振しにくい。また、エンクロージャ内のスペースに余裕が無い場合であっても、例えば扁平な断面形状にすれば、低音増強効果に十分な断面積を維持しつつ、その断面形状を比較的自由に変更できる。【選択図】図２
2015019245.tif 000002
【特許請求の範囲】
【請求項１】
スピーカ装置に設けられる中空のバスレフポートであって、
バスレフポートの延伸方向に垂直な断面において、角部又は屈曲部を両端に持つ複数の壁体部分のうち、少なくとも、最も長い壁体部分の断面形状が、バスレフポートの共鳴空間に対して凸または凹となる曲線形状である
ことを特徴とするバスレフポート。
【請求項２】
前記両端間の距離の１／２をｒとしたとき、前記曲線形状における曲率半径がｒより大きい
ことを特徴とする請求項１記載のバスレフポート。
【請求項３】
前記複数の壁体部分の断面形状が、バスレフポートの共鳴空間に対して凸または凹となる曲線形状である
ことを特徴とする請求項１又は２に記載のバスレフポート。
【請求項４】
スピーカ装置に設けられる中空のバスレフポートであって、
バスレフポートの延伸方向に垂直な断面において直線形状である壁体部分及びバスレフポートの共鳴空間に対して凸または凹となる曲線形状である壁体部分からなり、
前記直線形状の壁体部分が前記延伸方向に沿って湾曲している
ことを特徴とするバスレフポート。
【請求項５】
バスレフポートの延伸方向において異なる位置の壁体部分の断面形状が異なっており、
当該断面形状が異なる壁体部分どうしの間が湾曲した壁体部分でつながっている
ことを特徴とする請求項１〜４のいずれか１項に記載のバスレフポート。
【発明の詳細な説明】
【技術分野】
【０００１】
本発明はバスレフポートの構造に関する。
【背景技術】
【０００２】
低音域の音量を増強するスピーカ装置として、スピーカユニット及びバスレフポートを備えた位相反転型スピーカ装置が知られている。バスレフポートは、エンクロージャ表面に繋がる開口部と、エンクロージャ内部に設けられる中空の筒状部とを有する。エンクロージャ内部の空気バネとバスレフポート内の空気の質量とに相関するヘルムホルツ共振の作用により、低音域の増強がなされる（例えば特許文献１参照）。
【先行技術文献】
【特許文献】
【０００３】
【特許文献１】特開平２−２７４０９６号公報
【発明の概要】
【発明が解決しようとする課題】
【０００４】
ここで、図７は、従来のバスレフポートの断面図を示したものであり、それぞれのバスレフポートの延伸方向に垂直な断面の形状を表している。図７に示すように、断面が円形のバスレフポートａ、楕円形のバスレフポートｂ、トラック型の楕円形のバスレフポートｃ及び矩形のバスレフポートｄなどがある。このうち、断面が円形のバスレフポートａ及び楕円形のバスレフポートｂは、筒状部を構成する壁体全体が湾曲しているため、壁体が平面状である場合よりも剛性が高く、風切音やスピーカ音に対して共振しにくいという利点がある。しかしながら、エンクロージャ内のスペースに余裕が無い場合は、バスレフポートの断面積をそのスペースに応じて単純に縮小して対応することしかできず、低音増強効果に十分な共鳴空間を確保できないことがある。また、トラック型の楕円形のバスレフポートｃ及び矩形のバスレフポートｄは、エンクロージャ内のスペースに合わせて例えば、より扁平な断面形状にすれば、低音増強効果に十分な断面積を維持しつつ、その断面形状を比較的自由に変更できるというメリットがある。しかし、図８に模式的に示すように、筒状部を構成する壁体に比較的広い平面部分があり、その平面部分の剛性が湾曲部分に比べて低いため、風切音やスピーカ音に対して共振しやすいという問題がある。
【０００５】
そこで、本発明の目的は、バスレフポートの断面形状の設計自由度を確保するとともに、バスレフポートを構成する壁体の共振を抑制することにある。
【課題を解決するための手段】
【０００６】
本発明は、スピーカ装置に設けられる中空のバスレフポートであって、バスレフポートの延伸方向に垂直な断面において、角部又は屈曲部を両端に持つ複数の壁体部分のうち、少なくとも、最も長い壁体部分の断面形状が、バスレフポートの共鳴空間に対して凸または凹となる曲線形状であることを特徴とするバスレフポートを提供する。
【０００７】
上記構成において、前記両端間の距離の１／２をｒとしたとき、前記曲線形状における曲率半径がｒより大きいことが望ましい。
【０００８】
上記構成において、前記複数の壁体部分の断面形状が、バスレフポートの共鳴空間に対して凸または凹となる曲線形状であることが望ましい。
【０００９】
また、本発明は、スピーカ装置に設けられる中空のバスレフポートであって、バスレフポートの延伸方向に垂直な断面において直線形状である壁体部分及びバスレフポートの共鳴空間に対して凸または凹となる曲線形状である壁体部分からなり、前記直線形状の壁体部分が前記延伸方向に沿って湾曲していることを特徴とするバスレフポートを提供する。
【００１０】
上記構成において、バスレフポートの延伸方向において異なる位置の壁体部分の断面形状が異なっており、当該断面形状が異なる壁体部分どうしの間が湾曲した壁体部分でつながっているようにしてもよい。
【発明の効果】
【００１１】
本発明によれば、バスレフポートの断面形状の設計自由度を確保するとともに、バスレフポートを構成する壁体の共振を抑制することができる。
【図面の簡単な説明】
【００１２】
【図１】実施形態に係るスピーカ装置の断面図である。
【図２】バスレフポートの断面図及び斜視図の一例である。
【図３】バスレフポートの断面図の別の例である。
【図４】バスレフポートの断面図及び斜視図の別の例である。
【図５】バスレフポートの断面図及び斜視図の別の例である。
【図６】バスレフポートの斜視図の別の例である。
【図７】従来のバスレフポートの断面図である。
【図８】従来のバスレフポートが共振する様子を説明する模式図である。
【発明を実施するための形態】
【００１３】
本発明の実施形態に係るスピーカ装置について説明する。図１は、本実施形態に係るスピーカ装置１の断面図である。図１に示すように、スピーカ装置１は、エンクロージャ２に設けられたスピーカユニット３と、エンクロージャ２に内蔵されたバスレフポート４と、エンクロージャ２に内蔵されたアンプ部６とを備えている。エンクロージャ２は、前面板２ａと背面板２ｂ、天板２ｃと底板２ｄ、および一対の側面板（図１は側面板に平行な断面を示しているため、側面板の図示略）により構成されている。バスレフポート４は、両端に開口部４ａ，４ｂが設けられた中空筒状の壁体４ｃで構成されている。一方の開口部４ａは、バッフル板として機能する前面板２ａに連結されている。他方の開口部４ｂは、エンクロージャ２の内部空間に向かって開放されている。バスレフポート４において共鳴が起こる内部空間（共鳴空間）の体積は、増強対象となる音の周波数に基づいて決められる。
【００１４】
図２は、バスレフポート４の断面図及び斜視図の一例である。断面図は、斜視図のＹ−Ｙ’線における断面、つまり、バスレフポート４の延伸方向に垂直な断面の形状を表している。バスレフポート４の断面形状は、それぞれ曲線形状である４つの壁体部分が組み合わせられたものになっている。これら曲線形状の壁体部分の曲率半径が小さいときには、剛性が高くなり、風切音やスピーカ音に対する共振の問題がおきにくいが、エンクロージャ２内のスペースに余裕が無い場合には、バスレフポート４の断面積（バスレフポート４の延伸方向に垂直な断面において、バスレフポート４の内壁面によって囲まれた領域、つまり共鳴空間領域の面積）を小さくせざるを得ない。一方、エンクロージャ２内のスペースに合わせて、これら曲線形状の壁体部分の曲率半径が大きくすると、壁体部分の形状が平面に近づいて剛性が低くなり、上述した共振が起こりやすくなってしまう。
【００１５】
そこで、本実施形態では、バスレフポート４の共鳴空間５を形成する各曲線（つまりバスレフポート４の内壁面）が比較的なだらかになるような曲線形状にしている。具体的には、内壁面に相当する曲線の両端間の距離の１／２をｒとしたとき、その曲線における曲率半径をｒよりも大きくする、ということを最低満たすべき条件としている。つまり、内壁面に相当する曲線が真円（曲率半径＝ｒ）よりもなだらかなカーブであるということになる。
【００１６】
さらに、図２の例では、上記の最低条件よりもさらに曲線形状をなだらかにするような条件に従っている。つまり、バスレフポート４の内壁面に相当する曲線の両端を結んだ線分の長さをＡとし、その線分Ａから上記曲線までの最長距離（膨らみ量という）をｄとした場合に、０＜ｄ≦Ａ×１／１０という関係式を満たすことを条件としている。つまり、膨らみ量ｄの値が比較的小さいということになる。このようにすれば、壁体４ｃが或る程度湾曲しているため、共振しにくい剛性を維持することができる。併せて、エンクロージャ２内のスペースに余裕が無い場合であっても、例えば扁平な断面形状にするなどの対応をすれば、低音増強に十分な断面積を維持しつつ、その断面形状を比較的自由に変更し得る。なお、壁体４ｃにおいては、開口部４ａ，４ｂに近づくにつれて、壁体４ｃの内径が徐々に大きくなっているが、これは空気の乱流を抑えるためであり、本発明においては必ずしも必須の構造ではない。
【００１７】
図２は、壁体４ｃが、バスレフポート４の共鳴空間５に対して凹となる曲線形状であったが、これとは逆に、凸となる曲線形状であってもよい。図３は、互いに向かい合う壁体部分がバスレフポート４の共鳴空間５に対して凹となる曲線形状と凸となる曲線形状の例である。バスレフポート４の共鳴空間５に対して凹となる曲線形状にするか又は凸となる曲線形状にするかについては、エンクロージャ２内の空きスペースと、低音増強効果に必要な共鳴空間５の体積とを勘案して決定すればよい。
【００１８】
図２，３では、角部又は屈曲部を両端に持つ複数の壁体部分の断面形状がいずれも、バスレフポート４の共鳴空間５に対して凸または凹となる曲線形状であった。ここで、「角部」とは、断面形状の頂点の部分、または、断面形状において曲率の変化が不連続であるため尖った形状になっている部分である。また、「屈曲部」とは、曲線ではあるがその曲率の変化が不連続であるために、曲率の変化が連続である場合と比べると、曲線の曲がり具合が急になっている部分である。
【００１９】
共振が最も発生しやすいのは、角部又は屈曲部を両端に持つ複数の壁体部分のうち、最も剛性が低い壁体部分、つまりバスレフポート断面において最も長い壁体部分である。このように最も長い壁体は強度的に不利であるため、少なくとも、その壁体部分を曲線形状にして剛性を高くすればよい。従って、本発明においては、角部又は屈曲部を両端に持つ複数の壁体部分のうち、少なくとも、最も長い壁体部分が曲線形状であればよいということになる。
【００２０】
図４は、バスレフポート４の断面図及び斜視図の別の一例である。この例では、バスレフポート４の断面形状が３つの曲線形状の壁体部分の組み合わせになっている。この場合も、曲線の両端（前述した角部又は屈曲部）を結んだ線分の長さをＡとし、その線分Ａから上記曲線までの最長距離である膨らみ量をｄとした場合に、０＜ｄ≦Ａ×１／１０という関係式を満たすようになっている。エンクロージャ２内の空きスペースによっては、図４のような３つの曲線形状の壁体部分によって壁体４ｃを構成してもよい。また、図示は省略するが、５つ以上の曲線形状の壁体部分によって壁体４ｃを構成してもよい。
【００２１】
以上、図２〜図４に示したように、バスレフポート４の延伸方向に垂直な断面において角部又は屈曲部を両端に持つ複数の壁体のうち、少なくとも、最も長い壁体の断面形状が、バスレフポート４の共鳴空間５に対して凸または凹となる曲線形状になっている。これに対し、前掲の図７に示したバスレフポートａ，ｂは、曲率半径が一定であるか又は連続であるため、角部又は屈曲部が存在しない。よって、これらは本実施形態に比べて、バスレフポートの断面形状の設計自由度の点で劣る。また、図７に示したバスレフポートｃ，ｄは、最も長い壁体部分の断面形状が直線であるから、本実施形態に比べて共振が起こりやすいことになる。
【００２２】
図５は、バスレフポートの断面図及び斜視図の別の一例である。図５の断面図に示すように、壁体４ｃは、直線形状である壁体部分４ｃ１及び曲線形状である壁体部分４ｃ２からなる。この壁体部分４ｃ１及び壁体部分４ｃ２のうち、直線形状である壁体部分４ｃ１は、剛性が低く共振しやすい。そこで、図５の斜視図に示すように、壁体部分４ｃ１をバスレフポート４の延伸方向に沿って湾曲させている。このようにすれば、断面で見ると直線形状である壁体部分４ｃ１が、バスレフポート４の延伸方向では曲線形状になるから、剛性が高くなり、共振の発生が抑えられる。また、バスレフポート４を、エンクロージャ２内で空いているスペースを通すようにして延伸方向を変化させることで、空きスペースを有効に活用することができる。
【００２３】
図６は、バスレフポートの斜視図の別の一例である。図６に示すように、バスレフポートは、その延伸方向において異なる位置の断面形状が異なる壁体部分４Ａ、４Ｂを備えている。そして、壁体部分４Ａ，４Ｂどうしの間は湾曲した壁体部分４Ｃでつながっている。このように形状が異なる壁体部分同士を繋ぐことで壁体全体の剛性が高くなり、共振の発生が抑えられる。また、バスレフポート４を、エンクロージャ２内で空いているスペースを通すようにして延伸方向を変化させることで、空きスペースを有効に活用することができる。
【００２４】
なお、上述の説明では、バスレフポート４の開口部を前面板に連結する例を示したが、エンクロージャ２を構成する他の板面に連結してもよい。
また、壁体部分の曲線形状は、両端間の距離の１／２をｒとしたときにその曲線形状における曲率半径がｒより大きいという条件、または上述した０＜ｄ≦Ａ×１／１０という関係式さえ満たせば、上記の例に限らない。例えば懸垂線に相当する曲線形状であってもよい。
【符号の説明】
【００２５】
１・・・スピーカ装置、２・・・エンクロージャ、２ａ・・・前面板、２ｂ・・・背面板、２ｃ・・・天板、２ｄ・・・底板、３・・・スピーカユニット、４・・・バスレフポート、４ａ，４ｂ・・・開口部、４ｃ・・・壁体、５・・・共鳴空間。
【図１】
2015019245.tif 000003
【図２】
2015019245.tif 000004
【図３】
2015019245.tif 000005
【図４】
2015019245.tif 000006
【図５】
2015019245.tif 000007
【図６】
2015019245.tif 000008
【図７】
2015019245.tif 000009
【図８】
2015019245.tif 000010